(57)【要約】【課題】各監視カメラに対応した機能設定を短時間かつ容易に設定することが可能な監視カメラおよび監視システムを提供することを目的とする。【解決手段】監視カメラが有する機能のうち一又は複数の機能の設定情報について符号化された２次元コードを撮像する撮像手段と、前記撮像手段で撮像された２次元コードを含む画像データを取得する画像データ入力手段と、前記画像データ入力手段に取得された画像データに含まれる２次元コードを復号化して前記一又は複数の機能設定情報を抽出する解析手段と、前記解析手段で復号化した前記一又は複数の機能設定情報を記憶する記憶手段と、前記記憶手段に記憶された一又は複数の機能設定情報に基づいて前記監視カメラの機能部を機能設定する設定手段とを備えたことを特徴とする。【選択図】  図１
2011244394.tif 000002
【特許請求の範囲】
【請求項１】
監視カメラが有する機能のうち一又は複数の機能の設定情報について符号化された２次元コードを撮像する撮像手段と、
前記撮像手段で撮像された２次元コードを含む画像データを取得する画像データ入力手段と、
前記画像データ入力手段に取得された画像データに含まれる２次元コードを復号化して前記一又は複数の機能設定情報を抽出する解析手段と、
前記解析手段で復号化した前記一又は複数の機能設定情報を記憶する記憶手段と、
前記記憶手段に記憶された一又は複数の機能設定情報に基づいて前記監視カメラの機能部を機能設定する設定手段と
を備えたことを特徴とする監視カメラ。
【請求項２】
前記解析手段は、
前記画像データ入力手段により取得された画像データを２値化処理する２値化処理手段と、
前記２値化処理された画像データに含まれる２次元コードの位置検出パターンを検出して２次元コードの画像データ内での位置を画定するパターン検出手段と、
前記パターン検出手段で画定された前記２次元コードの画像データ内での位置を検出して前記２次元コードの傾きを水平方向に補正する回転補正手段と
を有することを特徴とする請求項１に記載の監視カメラ。
【請求項３】
前記一又は複数の機能設定情報についての設定値の誤りをチェックするための値を前記記憶手段から取得し、前記チェック値と前記機能設定の値を対比することにより誤りチェックを行う検査手段を備えたことを特徴とする請求項１または請求項２に記載の監視カメラ。
【請求項４】
前記記憶手段に記憶されていた前記機能設定情報を、２次元コードを復号化して新たに取得した機能設定情報に書き換える更新手段を備えたことを特徴とする請求項１〜３のいずれかに記載の監視カメラ。
【請求項５】
請求項１〜請求項４のいずれかに記載の監視カメラを備えたことを特徴とする監視システム。
【発明の詳細な説明】
【技術分野】
【０００１】
本発明は、監視システムにおける監視カメラ及び監視システムに関する。
【背景技術】
【０００２】
近年、セキュリティー管理の面から、監視カメラを利用した監視システムが工場や銀行、コンビニ、あるいは一般家庭等、様々な施設に設置されるようになってきている。通常監視システムにおいては、監視動作を行うため監視カメラと監視装置との対応関係を予め設定している。また、監視カメラ自体も様々な監視システムに適合できるように数多くの機能を内蔵しており、組み込まれる監視システムに適合するようそれらの機能について予め設定している。
【０００３】
具体的には、監視システムにおいては、例えば監視装置からネットワークを通じて複数の監視カメラへポーリングを行って両者間の対応関係を設定したりすることが行われており（特許文献1参照）、一方、監視カメラについては、製品の工場出荷前に使われる監視システム、及びその利用形態に応じて作業者が1台ごとにＰＣ等を介して必要な機能について設定を行われていた。
【０００４】
【特許文献１】特開２００５−３０１８５０号公報
【発明の開示】
【発明が解決しようとする課題】
【０００５】
しかしながら、上記監視カメラでは、機能設定の度にＰＣ等に接続しなければならず、これは作業者にとって作業効率が悪く、設定に時間がかかってしまうという問題があった。また、監視カメラの多機能化に伴ってその機能設定の数も増大していることから、作業者による設定ミスが生じる可能性があった。
【０００６】
本発明は、上記のような課題を解決するためになされたもので、監視カメラに対応した機能設定を短時間かつ容易に設定することが可能な監視カメラおよび監視システムを提供することを目的とする。
【課題を解決するための手段】
【０００７】
本発明に係る監視カメラおよび監視システムは、監視カメラが有する機能のうち一又は複数の機能の設定情報について符号化された２次元コードを撮像する撮像手段と、前記撮像手段で撮像された２次元コードを含む画像データを取得する画像データ入力手段と、前記画像データ入力手段に取得された画像データに含まれる２次元コードを復号化して前記一又は複数の機能設定情報を抽出する解析手段と、前記解析手段で復号化した前記一又は複数の機能設定情報を記憶する記憶手段と、前記記憶手段に記憶された一又は複数の機能設定情報に基づいて前記監視カメラの機能部を機能設定する設定手段とを備えることを特徴とする。
【発明の効果】
【０００８】
本発明に関する監視カメラおよび監視システムによれば、短時間かつ容易に監視カメラの機能設定を行うことが可能となる有利な効果を奏する。
【図面の簡単な説明】
【０００９】
【図１】本発明の実施の形態１に係る監視カメラの概略構成図である。
【図２】本発明の実施の形態１に係る監視カメラの機能設定のフロー図である。
【図３】ＱＲコードＣ１を表した図である。
【図４】解析手段４の構成の一例を示したブロック図である。
【図５】機能の一例である圧縮率についての機能設定値と検査手段５が保有するチェック値とを表した誤りチェックテーブルを示した図である。
【図６】本発明の実施の形態２に係る監視カメラの概略構成図である。
【図７】本発明の実施の形態２に係る監視カメラの機能設定のフロー図である。
【発明を実施するための形態】
【００１０】
実施の形態１．
図１は、本発明の実施の形態１に係る監視カメラの概略構成図である。監視カメラ１は、２次元コードを撮像する撮像手段２と、撮像手段２で撮像された画像を入力する画像データ入力手段３と、画像データ入力手段３で入力された画像から２次元コードを検出して復号化する解析手段４と、解析手段４で復号化された機能設定情報のチェックを行う検査手段５と、画像データ入力手段３が入力した撮像画像や機能設定情報を記憶する、例えば半導体メモリ等の記憶手段６と、記憶手段６に記憶された機能設定情報を監視カメラの機能部に設定する設定手段７とで構成される。
【００１１】
なお、本実施の形態では、２次元コードの例としてＱＲコードＣ１（登録商標）を用いて説明を行うが、これに限定されるものではないことは言うまでもない。ＱＲコードには、監視カメラの機能設定情報である録画レートや画像サイズ、圧縮率、アラーム音の番号等の機能面についての設定情報が入っている。
【００１２】
撮像手段２は、監視カメラとしての撮像機能をそのまま用い、画像データ入力手段３と接続され、画像データ入力手段３は解析手段４および記憶手段６と接続されている。解析手段４は、画像データ入力手段３、検査手段５、および記憶手段６と接続されている。また、記憶手段６は、画像データ入力手段３、解析手段４、検査手段５と接続されており、設定手段７は、記憶手段６に接続されている。
【００１３】
なお、図１の各ブロックは監視カメラ内の構成、機能、動作を分かりやすく示すための一例であり、本発明に係る監視カメラの実装においては、図に記載した特定の名称、各部の配置関係に依存しない。
【００１４】
次に、本発明の動作の概略について図２を用いて説明する。図２は、本発明の実施の形態１に係る監視カメラの設定についてのフロー図である。
【００１５】
まず、撮像手段２がＱＲコードＣ１を撮像する（ステップＳ１）。ＱＲコードＣ１には、複数の機能設定情報が入っている。次に、画像データ入力手段３が、撮像手段２によって出力されたＱＲコードＣ１の画像を１フレーム単位で入力する（ステップＳ２、Ｓ３）。画像データ入力手段３は、入力した撮像画像であるＱＲコードＣ１の画像を記憶手段６に書き込み、解析手段４に撮像画像が入力された旨を通知する（ステップＳ４）。
【００１６】
通知を受けた解析手段４は、記憶手段６に格納されたＱＲコードＣ１の画像を取得し、ＱＲコードＣ１の検出を行う（ステップＳ５）。検出に失敗した場合（ステップＳ５−No）、処理を終了する。検出に成功した場合（ステップＳ５−Yes）、解析手段４は、検出したＱＲコードＣ１の復号化を行う（ステップＳ６）。復号化に失敗した場合（ステップＳ６−No）、処理を終了する。復号化に成功した場合（ステップＳ６−Yes）、解析手段４は復号された監視カメラの一又は複数の機能設定情報を記憶手段６に書き込み、また復号化完了の旨を検査手段５に通知する（ステップＳ７）。なお、解析手段４が検出や復号化に失敗した場合には（ステップＳ５−No、ステップＳ６−No）、その旨を表示手段に表示してもよい。そうすることにより、作業者は即時にＱＲコードの検出、復号化に失敗したことを把握することが可能となり、より作業性が向上する。なお、表示手段は図１にて省略している。
【００１７】
検査手段５は、記憶手段６から機能設定情報を取得し、誤りがないかどうかのチェックを行う（ステップＳ８）。なお、検査手段５は復号された機能設定情報を解析手段４から直接受け取ってチェックを行ってもよい。
【００１８】
機能設定情報の内容に誤りがない場合（ステップＳ９−Yes）検査手段５は機能設定情報を記憶手段６に書き込みを行う（ステップＳ１０）。機能設定情報の内容に誤りがある場合（ステップＳ９−No）、値に誤りのある機能設定情報に対しては、監視カメラに一般的に用いられる初期値を入力して記憶手段６に書き込む（ステップＳ１１）。初期値を入力することにより、機能設定の内容が予期せぬ値となったり、機能設定の内容が空となったりすることによる誤作動等を防止することが可能となる。
【００１９】
なお、機能設定情報に誤りが存在して初期値を代入した場合に、その旨を表示装置に表示させてもよい。そうすることにより、作業者に誤りがあったことを即座に認識させることが可能となり、設定ミスをより防ぎやすくなる。なお、各機能設定情報の初期値は予め検査手段５が保持してもよいし、記憶手段６に記憶させておいてもよい。これらの処理を全機能設定について実施し、設定を終了する。
【００２０】
そして、記憶手段６に記憶された機能設定情報に基づいて、プロセッサ等の設定手段７が各機能部に対して機能設定を行い、設定作業が完了する。
【００２１】
次に、図３および図４を用いてＱＲコードＣ１の解析処理の例について説明する。図３は、解析処理の対象であるＱＲコードＣ１の構造を示す。図４は本発明の監視カメラの解析手段４のブロック図構成の一例を示す。
【００２２】
図３に示すように、ＱＲコードＣ１は、３つの位置検出パターンＰ１、Ｐ２、Ｐ３と、情報を符号化した情報パターンＤと、認識時における情報パターンＤの各セルのずれを調整するための位置合わせパターンＡ１とで構成されている。
【００２３】
図４に示すように、解析手段４は、ＱＲコードＣ１の画像を２値化する２値化手段４１と、２値化されたＱＲコードＣ１の画像に含まれる位置検出パターンを検出するパターン検出手段４２と、ＱＲコードＣ１の画像に対して回転補正の画像処理を行う回転補正手段４３と、回転補正されたＱＲコードＣ１の画像から復号化を行う復号処理手段４４とで構成される。
【００２４】
２値化手段４１は、画像データ入力手段３、記憶手段６、およびパターン検出手段４２と接続され、パターン接続手段４２は２値化手段４１および回転補正手段４３と接続されている。また、回転補正手段４３はパターン検出手段４２および復号処理手段４４と接続されており、復号処理手段４４は、回転補正手段４３および検査手段５と接続されている。記憶手段６は、少なくとも２値化手段４１および復号処理手段４４とは接続されており、２値化手段４１および復号処理手段４４以外のパターン検出手段４２、回転補正手段４３と接続される構成となってもよい。
【００２５】
２値化手段４１は、画像データ入力手段３から撮像画像が入力された旨の通知を受け取り、記憶手段６から撮像画像であるＱＲコードＣ１を取得し当該画像に対して２値化処理を行う。そして、２値化処理を行ったＱＲコードＣ１の画像をパターン検出手段４２に出力する。
【００２６】
パターン検出手段４２は、２値化処理がなされたＱＲコードＣ１に含まれる位置検出パターンＰ１、Ｐ２、Ｐ３を検出する。そして、検出された位置検出パターンＰ１、Ｐ２、Ｐ３の位置に基づいて、ＱＲコードＣ１の位置を画定する。
【００２７】
回転補正手段４３は、位置検出パターンＰ１、Ｐ２、Ｐ３の位置により、ＱＲコードＣ１が傾いているか否かを判定する。ＱＲコードＣ１が傾いている場合は、ＱＲコードＣ１を回転させる画像処理を行い、ＱＲコードＣ１が水平な状態になるように画像変換を行う。
【００２８】
復号処理手段４４は、回転等の画像処理が加えられたＱＲコードＣ１の画像を受け取り、情報パターンＤが記述されている領域を認識し、情報パターンＤの復号化を行う。なお、情報パターンＤの符号化方式は、本発明においては特に限定されるものでなく、例えばＱＲコードに準拠した方式を用いることとしてもよい。
【００２９】
次に、図５を用いて検査処理の例について説明する。図５は、機能の一例である圧縮率についての機能設定値と検査手段５が保有するチェック値とを表した誤りチェックテーブルである。解析手段４によりＱＲコードＣ１を復号化して得られた圧縮率に関する機能設定値が例えば４であれば、検査手段５はチェック値と対比し、１−１０の間にあるので圧縮率１/２０と判定する。復号化して得られた圧縮率に関する機能設定値が例えば１２４であれば、検査手段５はチェック値と対比し、１００−２００の間にあるので圧縮率１/９０と判定する。
【００３０】
一方で、復号化して得られた圧縮率に関する機能設定値が３０だったとすると、検査手段５のチェック値のいずれとも合致しないため、復号化された機能設定値は不正な値と認識され、検査手段５によって初期値が代入される。なお、上記例では数値を用いて検査手段５によるチェックを行ったが、数値に限定されるものではなく、例えば英文字等を用いてチェックを行ってもよい。また、チェック値を表した誤りチェックテーブルは、上記例では検査手段５が保有しているとしたが、これを記憶手段６に記憶させ、必要に応じて検査手段５が取得するとしてもよい。検査手段５は、これらの検査処理を全機能設定について行う。
【００３１】
以上の構成によれば、複数の機能設定がある監視カメラの設定作業を、２次元コードを撮像することのみで完了させることができるので、作業者の設定作業負荷を大幅に軽減し時間の短縮が可能となる。また、機能設定情報が多くても２次元コードを読み込むのみで設定作業が完了するため、作業者による設定作業ミスを防止することも可能となる。さらに、ＰＣ等の端末を用いて設定を行う必要がないので、ネットワークに接続するという面倒な作業が不要となり、容易に設定を行うことが可能となる。
【００３２】
監視カメラの機能設定数は、一般のデジタルカメラ等と比較して非常に多いという事情に鑑みれば、本発明に係る監視カメラの設定方法は有効である。また、本実施の形態において機能設定がなされた監視カメラをネットワークに接続することにより、銀行、工場等の施設に応じた機能を有する監視システムを導入することができる。
【００３３】
実施の形態２．
図６は、本発明の実施の形態２に係る監視カメラの概略構成図である。実施の形態１との相当部分には図１と同一符号を付してその説明を省略する。なお、本実施の形態は、本発明を具体化する際の一形態であって本発明をその範囲内に限定するためのものではない。実施の形態２は、実施の形態１と比べて、更新手段８をさらに備えた構成となっており、更新手段８は解析手段４、検査手段５および記憶手段６と接続されている。
【００３４】
更新手段８は、一度設定が完了した監視カメラについて機能設定情報の更新を行うもので、記憶手段６には予め機能設定情報が記憶されており、新たなＱＲコードＣ２を撮像手段２で撮像することにより、機能設定情報の更新が行われる。ＱＲコードＣ２には、更新したい機能名と機能設定値に関する情報と、更新手段８に処理を実行させるよう命令する情報が少なくとも入っている。
【００３５】
図７を用いて更新処理についての動作を説明する。図７は、本発明の実施の形態２に係る監視カメラの設定について説明するフロー図を示したものである。
【００３６】
撮像手段２でＱＲコードＣ２を撮像してからＱＲコードＣ２の復号処理までの動作は、実施の形態１と同様であるので、ここでは省略する（図７におけるステップＳ１〜Ｓ６）。ＱＲコードＣ２の復号化に失敗した場合（ステップＳ６−No）、処理を終了する。ＱＲコードＣ２の復号化に成功した場合（ステップＳ６−Yes）、機能設定情報と検索命令情報が抽出される。解析手段４は、記憶手段６の中から更新対象となる機能設定情報の検索を行う命令情報を更新手段８に対して出力する（ステップＳ７−Yes）。一方、解析手段４は、検索命令情報でない機能設定情報については（ステップＳ７−No）、記憶手段６に書き込み、また、復号化が完了した旨の通知を検査手段５に対して行う（ステップＳ８）。
【００３７】
復号化が完了した旨の通知を受け取った検査手段５は、記憶手段６から取得した全機能設定に対して、その内容に誤りがないかチェックを行う（ステップＳ９）。機能設定の内容に誤りがある場合（ステップＳ１０−No）、処理を終了し、機能設定の内容に誤りがない場合（ステップＳ１０−Yes）、機能設定情報を更新手段８に出力する。なお、機能設定情報を記憶手段６に記憶し、更新手段７が記憶手段６から機能設定情報を取得することとしてもよい。
【００３８】
機能設定情報の検索命令を受け取った更新手段８は、記憶手段６の中から予め記憶されていた機能設定情報の検索を行う（ステップＳ１１）。検索が失敗した場合（ステップＳ１１−No）、処理を終了する。検索に成功した場合（ステップＳ１１−Yes）、検索対象となる機能設定情報を取得する（ステップＳ１２）。
【００３９】
続いて更新手段８は、検査手段５によってチェックを受けた、ＱＲコードＣ２に基づく機能設定情報を取得する（ステップＳ１３）。そして、記憶手段６から取得した予め設定されていた機能設定情報と、検査手段５から取得した機能設定情報とを対比し、同一の機能設定であれば、更新対象となる機能設定情報を、検査手段５から取得したＱＲコードＣ２に基づく機能設定情報に書き換え、記憶手段６に対して更新を行う（ステップＳ１４）。
なお、本実施の形態においては、既に機能設定されてある設定対象の設定値のみを変更してもよいし、設定対象を新たに追加して機能設定を行ってもよい。
【００４０】
以上の構成によれば、監視カメラの設定作業の一つである更新作業について、監視カメラをＰＣ等に接続させるという面倒な作業を行うことなく、２次元コードを撮像することのみで完了させることができるので、作業者の作業負荷を大幅に軽減し時間の短縮が可能となり、設定が容易になるという有利な効果を奏する。
【００４１】
また、機能設定を行った監視カメラを販売した後においても、アップグレード等の更新を短時間かつ容易に行い、客先の要望に応じた監視システムを新たに構築することが可能となる。さらに、客先が自ら更新作業を行うことを想定しても、所望の機能設定情報等を含んだ２次元コードを紙媒体またはインターネット経由で送るだけで更新の準備が整うため、インターネットに接続し、難解なマニュアルを見ながら更新を行うといった複雑な作業が不要になるという有利な効果を奏する。
【図１】
2011244394.tif 000003
【図２】
2011244394.tif 000004
【図３】
2011244394.tif 000005
【図４】
2011244394.tif 000006
【図５】
2011244394.tif 000007
【図６】
2011244394.tif 000008
【図７】
2011244394.tif 000009